【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
複数の入力回線と、複数の出力回線と、前記複数の入力回線のうちの一つの入力回線から入力された入力パケットを前記複数の出力回線の何れかの出力回線に出力するパケット中継装置であって、
入力パケットのアドレス情報、用途を識別する情報又は優先度を識別する情報のうち少なくとも一つの情報と、その情報に対応する通信品質制御情報又はフィルタリング制御情報とをエントリとし、該エントリを複数有するエントリテーブルを、前記アドレス情報毎に分割して設定したことを特徴とするパケット中継装置。
【請求項２】
複数の入力回線と、複数の出力回線と、前記複数の入力回線のうちの一つの入力回線から入力された入力パケットを前記複数の出力回線の何れかの出力回線に出力するパケット中継装置であって、
入力パケットのアドレス情報、用途を識別する情報又は優先度を識別する情報のうちの少なくとも一つの情報と、その情報に対応する通信品質制御情報又はフィルタリング制御情報とをエントリとし、該エントリーを複数有するエントリテーブルと、
前記エントリテーブル内のエントリを指定するエントリポインタを前記アドレス情報毎に分割して設定したエントリーポインタテーブルとを有することを特徴とするパケット中継装置。
【請求項３】
複数の入力回線と、複数の出力回線と、前記複数の入力回線のうちの一つの入力回線から入力された入力パケットを前記複数の出力回線の何れかの出力回線に出力するパケット中継装置であって、
入力パケットのアドレス情報、用途を識別する情報又は優先度を識別する情報のうちの少なくとも一つの情報と、その情報に対応する通信品質制御情報又はフィルタリング制御情報とをエントリとし、該エントリを複数有するエントリテーブルが、前記アドレス情報毎に分割して設定されており、
前記内部ヘッダ情報が付加された入力パケット内のアドレス情報に対応するエントリテーブルのみを検索し、そのエントリを読み出すエントリ読み出し手段と、
前記入力パケットのアドレス情報、用途を識別する情報又は優先度を識別する情報と前記エントリ読み出し手段が読み出したエントリ内の情報との一致判定をする一致判定手段と、
前記一致判定手段で一致と判定された場合に、前記エントリ内の前記通信品質制御情報又は前記フィルタリング制御情報により、前記入力パケットの転送の優先度又は、転送の可否を決定する手段とをパイプライン制御することを特徴とするパケット中継装置。
【請求項４】
複数の入力回線と、複数の出力回線と、前記複数の入力回線のうちの一つの入力回線から入力された入力パケットを前記複数の出力回線の何れかの出力回線に出力するパケット中継装置であって、
入力パケットのアドレス情報、用途を識別する情報又は優先度を識別する情報のうちの少なくとも一つの情報と、その情報に対応する通信品質制御情報又はフィルタリング制御情報とをエントリとし、該エントリーを複数有するエントリテーブルと、
前記エントリテーブル内のエントリを指定するエントリポインタを前記アドレス情報毎に分割して設定したエントリーポインタテーブルとを有し、
入力パケット内のアドレス情報に対応するエントリポインタのみを読み出すエントリポインタ読み出し手段と、
前記エントリポインタ読みだし手段が読み出したエントリポインタが指定するエントリを前記エントリテーブルから読み出すエントリ読み出し手段と、
入力パケット内のアドレス情報、用途を識別する情報又は優先度を識別する情報と、前記エントリ読み出し処理部が読み出したエントリ内の情報との一致判定をする一致判定手段と、
前記一致判定手段で一致と判定された場合に、前記エントリ内の前記通信品質制御情報又は前記フィルタリング制御情報により、入力パケットの転送の優先度又は、転送の可否を決定する手段とをパイプライン制御することを特徴とするパケット中継装置。
【請求項５】
複数の入力回線と、複数の出力回線と、前記複数の入力回線のうちの一つの入力回線から入力された入力パケットを前記複数の出力回線の何れかの出力回線に出力するパケット中継装置であって、
入力パケットのアドレス情報、用途を識別する情報又は優先度を識別する情報のうちの少なくとも一つの情報と、その情報に対応する通信品質制御情報又はフィルタリング制御情報とをエントリとし、該エントリを複数有するエントリテーブルが、前記アドレス情報毎に分割して設定されており、
入力パケットのアドレス情報に対応するエントリテーブルのみを検索し、そのエントリを読み出すエントリ読み出し手段と、入力パケット内のアドレス情報、用途を識別する情報又は優先度を識別する情報と前記エントリ読み出し手段が読み出したエントリ内の情報との一致判定をする一致判定手段とを有し、
前記エントリテーブルと前記一致判定手段とは同一の半導体チップに実装したことを特徴とするパケット中継装置。
【請求項６】
複数の入力回線と、複数の出力回線と、前記複数の入力回線のうちの一つの入力回線から入力された入力パケットを前記複数の出力回線の何れかの出力回線に出力するパケット中継装置であって、
入力パケットのアドレス情報、用途を識別する情報又は優先度を識別する情報のうちの少なくとも一つの情報と、その情報に対応する通信品質制御情報又はフィルタリング制御情報とをエントリとし、該エントリーを複数有するエントリテーブルと、
前記エントリテーブル内のエントリを指定するエントリポインタを前記アドレス情報毎に分割して設定したエントリーポインタテーブルとを有し、
入力パケット内のアドレス情報に対応するエントリポインタのみを読み出すエントリポインタ読み出し手段と、
前記エントリポインタ読みだし手段が読み出したエントリポインタが指定するエントリを前記エントリテーブルから読み出すエントリ読み出し手段と、
入力パケットのアドレス情報、用途を識別する情報又は優先度を識別する情報と、
前記エントリ読み出し手段が読み出したエントリ内の情報との一致判定をする一致判定手段とを有し、
前記エントリテーブルと前記一致判定手段とは同一の半導体チップに実装したことを特徴とするパケット中継装置。
【請求項７】
請求項６に記載のパケット中継装置において、
前記エントリポインタテーブルは前記半導体チップと異なる半導体チップで構成したことを特徴とするパケット中継装置。
【請求項８】
請求項１から７のいずれか１項に記載のパケット中継装置において、
前記アドレス情報は、前記入力回線または前記出力回線の識別番号であることを特徴とするパケット中継装置。
【請求項９】
請求項１から７のいずれか１項に記載のパケット中継装置において、
前記アドレス情報は、送信元または送信先の物理アドレスであることを特徴とするパケット中継装置。
【請求項１０】
請求項１から７のいずれか１項に記載のパケット中継装置において、
前記アドレス情報は、送信元または送信先サブネット識別情報であることを特徴とするパケット中継装置。
【請求項１１】
複数の入力回線と、複数の出力回線と、前記複数の入力回線のうちの一つの入力回線から入力された入力パケットを前記複数の出力回線の何れかの出力回線に出力するパケット中継装置であって、
入力パケットのアドレス情報と、前記アドレス情報の有効／無効を示すフラグ情報と、それらの情報に対応する通信品質制御情報又はフィルタリング制御情報とをエントリとし、該エントリを複数有するエントリテーブルを有することを特徴とするパケット中継装置。
【請求項１２】
請求項１１に記載のパケット中継装置において、
前記アドレス情報は、インターネット・プロトコル（ＩＰ）アドレス情報と、入力回線情報とであり、前記アドレス情報の有効／無効を示すフラグ情報は、前記ＩＰアドレス情報の有効／無効を示すフラグ情報と、前記入力回線情報の有効／無効を示すフラグ情報とであることを特徴とするパケット中継装置。
【請求項１３】
請求項１２に記載のパケット中継装置において、
前記エントリテーブルのエントリを読み出すエントリ読み出し手段と、入力パケットのアドレス情報、用途を識別する情報又は優先度を識別する情報と、前記エントリ読み出し処理部が読み出したエントリ内の情報との一致判定をする一致判定手段とを有し、
前記一致判定手段は、ＩＰアドレス情報と、入力回線情報毎に設けられた複数の比較手段を有し、
ＩＰアドレス情報に対応して設けられた前記比較手段は、前記ＩＰアドレス情報の有効／無効を示すフラグ情報に応じて動作し、
入力回線情報に対応して設けられた前記比較手段は、前記入力回線情報の有効／無効を示すフラグ情報に応じて動作することを特徴とするパケット中継装置。
【請求項１４】
請求項１３に記載のパケット中継装置において、
ＩＰアドレス情報に対応して設けられた前記比較手段は、前記ＩＰアドレス情報の有効／無効を示すフラグ情報が有効を示す場合のみ一致判定を行い、入力回線情報に対応して設けられた前記比較手段は、前記入力回線情報の有効／無効を示すフラグ情報が有効を示す場合のみ一致判定を行うことを特徴とするパケット中継装置。
【請求項１５】
複数の入力回線と、複数の出力回線と、前記複数の入力回線のうちの一つの入力回線から入力された入力パケットを前記複数の出力回線の何れかの出力回線に出力するパケット中継装置であって、
入力パケットのアドレス情報、用途を識別する情報又は優先度を識別する情報のうち少なくとも一つの情報と、その情報に対応する通信品質制御情報とフィルタリング制御情報とをエントリとし、該エントリを複数有するエントリテーブルと、
前記エントリテーブルを参照し、入力パケットのアドレス情報、用途を識別する情報又は優先度を識別する情報のうち少なくとも一つの情報に応じて、該パケットに対し通信品質制御及びフィルタリング制御を行うことを特徴とするパケット中継装置。
【請求項１６】
請求項１から１５のいずれか１項に記載のパケット中継装置において、
前記通信品質制御情報は、帯域監視情報であることを特徴とするパケット中継装置。